(57)【要約】  【課題】  早く、正確な線量値を得ることができる放射線量測定システムを提供する。  【解決手段】  放射線量測定システム１００１は、測定局１１０と、測定局１１０と通信するデータ収集装置２１０とを備え、放射線の線量を測定する。測定局１１０は、放射線を検出する測定部１１４と、測定部１１４にて検出された放射線の量を示す測定データを送信する送信部１１１とを備える。データ収集装置２１０は、測定データを受信する受信部２１１と、受信部２１１にて受信した複数の測定データを用いた移動平均によって、線量値を算出する線量値算出部２１５と、受信部２１１にて受信した複数の測定データのうちの誤検出による測定データを線量値算出部２１５における移動平均から除外するノイズ除去処理部２１６とを備えている。【選択図】  図１
2013186109.tif 000002
【特許請求の範囲】
【請求項１】
測定局と、前記測定局と通信するデータ収集装置とを備え、放射線の線量を測定する放射線量測定システムであって、
前記測定局は、
放射線を検出する測定部と、
前記測定部にて検出された放射線の量を示す測定データを送信する送信部とを備え、
前記データ収集装置は、
前記測定データを受信する受信部と、
前記受信部にて受信した複数の測定データを用いた移動平均によって、線量値を算出する線量値算出部と、
前記受信部にて受信した複数の測定データのうちの誤検出による測定データを前記線量値算出部における移動平均から除外するノイズ除去処理部とを備えた
ことを特徴とする放射線量測定システム。
【請求項２】
前記ノイズ除去処理部は、前記受信部にて受信した前の測定データとの差分が所定の閾値以上である測定データを、前記誤検出による測定データとして移動平均から除外することを特徴とする請求項１に記載の放射線量測定システム。
【請求項３】
前記ノイズ除去処理部は、前記受信部にて受信した前及び後の測定データとのそれぞれの差分がいずれも所定の閾値以上である測定データを、前記誤検出による測定データとして移動平均から除外することを特徴とする請求項１に記載の放射線量測定システム。
【請求項４】
前記ノイズ除去処理部は、前記受信部にて受信した他の測定局の測定データとの差分が所定の閾値以上である測定データを、前記誤検出による測定データとして移動平均から除外することを特徴とする請求項１ないし３のいずれか一項に記載の放射線量測定システム。
【請求項５】
測定局と、前記測定局と通信するデータ収集装置とを備え、放射線の線量を測定する放射線量測定システムであって、
前記測定局は、
放射線を検出する測定部と、
前記測定部にて検出された放射線の量を示す測定データを送信する送信部とを備え、
前記データ収集装置は、
前記測定データを受信する受信部と、
前記受信部にて受信した複数の測定データを用いた移動平均によって、線量値を算出する線量値算出部と、
前記測定局の設置箇所における環境情報を取得する環境情報取得部と、
前記環境情報に基づいて、前記移動平均に用いる過去の測定データをリセットするリセット処理部とを備えた
ことを特徴とする放射線量測定システム。
【請求項６】
前記環境情報取得部は、降雨量を検出する雨量センサであり、
前記リセット処理部は、検出された前記降雨量が所定の閾値以上であるときに、移動平均に用いる過去の測定データをリセットする
ことを特徴とする請求項５に記載の放射線量測定システム。
【請求項７】
測定局と、前記測定局と通信するデータ収集装置とを備え、放射線量を測定する放射線量測定システムであって、
前記測定局は、
放射線を検出する測定部と、
第１の測定モードにおいて、所定時間内に前記測定部にて検出された放射線の数に基づいて測定データを生成し、第２の測定モードにおいて、前記測定部にて所定数の放射線が検出された時間に基づいて測定データを生成する測定制御部と、
前記測定制御部にて生成された測定データを送信する送信部とを備え、
前記データ収集装置は、
前記測定データを受信する受信部と、
前記受信部にて受信した測定データから線量値を算出する線量値算出部とを備えた
ことを特徴とする放射線量測定システム。
【請求項８】
前記データ収集装置は、算出された前記線量値に基づいて、前記測定モードを指定する測定方法設定部をさらに備え、
前記測定制御部は、前記測定方法設定部にて指定された測定モードで測定データを生成する
ことを特徴とする請求項７に記載の放射線量測定システム。
【請求項９】
測定局と、前記測定局と通信するデータ収集装置とを備え、放射線量を測定する放射線量測定システムであって、
前記測定局は、
放射線を検出する測定部と、
前記測定部にて所定時間内に所定量の放射線が検出されたときは、その時間に基づいて測定データを生成するとともに、前記所定量の放射線が検出されずに前記所定時間が経過したときは、前記所定時間内に前記測定部にて検出された放射線の数に基づいて測定データを生成する測定制御部と、
前記測定制御部にて生成された測定データを送信する送信部とを備え、
前記データ収集装置は、
前記測定データを受信する受信部と、
前記受信部にて受信した測定データから線量値を算出する線量値算出部とを備えた
ことを特徴とする放射線量測定システム。
【請求項１０】
測定局と、前記測定局と通信するデータ収集装置とを備え、放射線の線量を測定する放射線量測定システムにおけるデータ収集装置であって、
前記測定局から送信されてきた、放射線の量を示す測定データを受信する受信部と、
前記受信部にて受信した複数の測定データを用いた移動平均によって、線量値を算出する線量値算出部と、
前記受信部にて受信した複数の測定データのうちの誤検出による測定データを前記線量値算出部における移動平均から除外するノイズ除去処理部とを備えた
ことを特徴とするデータ収集装置。
【請求項１１】
測定局と、前記測定局と通信するデータ収集装置とを備え、放射線の線量を測定する放射線量測定システムにおけるデータ収集装置であって、
前記測定局から送信されてきた、放射線の量を示す測定データを受信する受信部と、
前記受信部にて受信した複数の測定データを用いた移動平均によって、線量値を算出する線量値算出部と、
前記測定局の設置箇所における天候の情報を取得する天候情報取得部と、
前記天候の情報に基づいて、前記移動平均に用いる過去の測定データをリセットするリセット処理部とを備えた
ことを特徴とするデータ収集装置。
【請求項１２】
測定局と、前記測定局と通信するデータ収集装置とを備え、放射線量を測定する放射線量測定システムにおける測定局であって、
放射線を検出する測定部と、
前記測定部にて所定時間内に所定量の放射線が検出されたときは、その時間に基づいて測定データを生成するとともに、前記所定量の放射線が検出されずに前記所定時間が経過したときは、前記所定時間内に前記測定部にて検出された放射線の数に基づいて測定データを生成する測定制御部と、
前記測定制御部にて生成された測定データを送信する送信部とを備えた
ことを特徴とする測定局。
【発明の詳細な説明】
【技術分野】
【０００１】
本発明は、測定局で測定を行うとともに、その測定データを収集する放射線量測定システム、並びにそれに用いるデータ収集装置及び測定局に関するものである。
【背景技術】
【０００２】
従来、複数の箇所に測定局（放射線量測定装置）を配置して、各測定局の測定データをデータ収集装置で収集する放射線量測定システムが知られている。この放射線量測定システムによれば、データ収集装置で収集した測定データを線量値に変換して出力することで、複数の箇所における線量値を１箇所で監視することができ、複数の測定局の各々について、その設置場所まで行って線量値を確認する必要がなくなる。
【０００３】
例えば、学校施設を測定対象とする場合には、敷地内の複数の箇所に測定局が設置され、１つのデータ収集装置が適当な箇所に設置される。データ収集装置は、無線通信によって各測定局から測定データを収集する。このデータ収集装置にＰＣ（パーソナルコンピュータ）を接続することで、各測定箇所の線量値をＰＣで監視する。
【０００４】
ここで、線量値の計測は無作為に飛んでいる放射線をセンサで受けることで計測しおり、さらに各測定局に採用される放射線センサ（ＰＩＮフォトダイオード）は、振動や他のノイズの影響を受け易いものである。よって、より正確な線量値を得るためには、理想的には各測定局で少なくとも放射線の検出回数が４００カウント程度になってから、それに要した時間に基づいて、線量値を算出することが望ましい。ただし、放射線が４００カウント検出されるまで待って線量値を求めると、場所や時間によって放射線量が一定でないため、線量値が得られる（更新される）までの時間がまちまちになる。そこで、従来の放射線量測定システムでは、測定局にて放射線の検出回数が４００カウント程度になるのに要する時間として、例えば３０分という一定の時間を設定して、３０分ごとに線量値を求める（更新する）ようにしている。
【０００５】
なお、本発明に関連する先行技術として、以下の先行技術文献がある。
【先行技術文献】
【特許文献】
【０００６】
【特許文献１】特開２０１１−２２０９７５号公報
【発明の概要】
【発明が解決しようとする課題】
【０００７】
しかしながら、上記の従来の放射線量測定システムでは、正確な線量値を得るのに時間がかかってしまうという問題がある。上記の例では、３０分ごとにしか線量値が得られない（更新されない）。
【０００８】
本発明は、上記の問題に鑑みてなされたものであり、より早く、より正確な線量値を得ることができる放射線量測定システムを提供することを目的とする。
【課題を解決するための手段】
【０００９】
本発明の放射線量測定システムは、測定局と、前記測定局と通信するデータ収集装置とを備え、放射線の線量を測定する放射線量測定システムであって、前記測定局は、放射線を検出する測定部と、前記測定部にて検出された放射線の量を示す測定データを送信する送信部とを備え、前記データ収集装置は、前記測定データを受信する受信部と、前記受信部にて受信した複数の測定データを用いた移動平均によって、線量値を算出する線量値算出部と、前記受信部にて受信した複数の測定データのうちの誤検出による測定データを前記線量値算出部における移動平均から除外するノイズ除去処理部とを備えた構成を有している。
【００１０】
この構成により、線量値算出部は、複数の測定データを用いた移動平均によって線量値を算出するが、このとき誤検出による測定データはこの移動平均の計算には用いられないので、この移動平均に用いられる複数の測定データを得るための時間を短くしたとしても、線量値の精度の低下を抑えることができ、よって、より早く、より正確な線量値を得ることができる。
【００１１】
上記の放射線量測定システムにおいて、前記ノイズ除去処理部は、前記受信部にて受信した前の測定データとの差分が所定の閾値以上である測定データを、前記誤検出による測定データとして移動平均から除外してよい。
【００１２】
この構成により、急激に増加した測定データを誤検出による測定データとして、移動平均の計算に用いないようにすることができる。
【００１３】
上記の放射線量測定システムにおいて、前記ノイズ除去処理部は、前記受信部にて受信した前及び後の測定データとのそれぞれの差分がいずれも所定の閾値以上である測定データを、前記誤検出による測定データとして移動平均から除外してよい。
【００１４】
この構成により、測定データが急激に増加した後に急激に減少した場合に、そのような急激に増加した測定データを誤検出による測定データとして、移動平均の計算に用いないようにすることができる。
【００１５】
上記の放射線量測定システムにおいて、前記ノイズ除去処理部は、前記受信部にて受信した他の測定局の測定データとの差分が所定の閾値以上である測定データを、前記誤検出による測定データとして移動平均から除外してよい。
【００１６】
この構成により、ある測定局にて測定データが急激に増加した場合にも他の測定局の測定データがそのような急激な増加をしていないときは、当該急激に増加した測定データを誤検出による測定データとして、移動平均の計算に用いないようにすることができる。
【００１７】
本発明の別の態様の放射線量測定システムは、測定局と、前記測定局と通信するデータ収集装置とを備え、放射線の線量を測定する放射線量測定システムであって、前記測定局は、放射線を検出する測定部と、前記測定部にて検出された放射線の量を示す測定データを送信する送信部とを備え、前記データ収集装置は、前記測定データを受信する受信部と、前記受信部にて受信した複数の測定データを用いた移動平均によって、線量値を算出する線量値算出部と、前記測定局の設置箇所における環境の情報を取得する環境情報取得部と、前記環境の情報に基づいて、前記移動平均に用いる過去の測定データをリセットするリセット処理部とを備えた構成を有している。
【００１８】
この構成により、線量値算出部は、複数の測定データを用いた移動平均によって線量値を算出するが、このとき雨、雪、風などの環境によって急激に放射線量が増加する可能性がある場合には、移動平均の計算に用いる過去の測定データをリセットするので、放射線量が急激に増加した場合に、移動平均によって過去の測定データに引きずられることがなくなる。これにより、そのような急激な放射線量の増加を直ちに線量値に反映させることができ、よって、より早く、より正確な線量値を得ることができる。
【００１９】
上記の放射線量測定システムにおいて、前記環境情報取得部は、降雨量を検出する雨量センサであってよく、前記リセット処理部は、検出された前記降雨量が所定の閾値以上であるときに、移動平均に用いる過去の測定データをリセットしてよい。
【００２０】
この構成により、降雨量に基づいて移動平均に用いる過去の測定データをリセットできる。
【００２１】
本発明のさらに別の態様の放射線量測定システムは、測定局と、前記測定局と通信するデータ収集装置とを備え、放射線量を測定する放射線量測定システムであって、前記測定局は、放射線を検出する測定部と、第１の測定モードにおいて、所定時間内に前記測定部にて検出された放射線の数に基づいて測定データを生成し、第２の測定モードにおいて、前記測定部にて所定数の放射線が検出された時間に基づいて測定データを生成する測定制御部と、前記測定制御部にて生成された測定データを送信する送信部とを備え、前記データ収集装置は、前記測定データを受信する受信部と、前記受信部にて受信した測定データから線量値を算出する線量値算出部とを備えた構成を有している。
【００２２】
この構成により、第１の測定モードでは、所定時間ごとに測定データが得られ、第２の測定モードでは、十分な放射線が検出されたときに所定時間の経過を待たずに直ちに測定データが得られるので、より早く、より正確な線量値を得ることができる。
【００２３】
上記の放射線量測定システムにおいて、前記データ収集装置は、算出された前記線量値に基づいて、前記測定モードを指定する測定方法設定部をさらに備えていてよく、前記測定制御部は、前記測定方法設定部にて指定された測定モードで測定データを生成してよい。
【００２４】
この構成により、線量値が低いときには、第１の測定モードを指定することで、安定して測定データを得ることができ、線量値が高いときには、第２の測定モードを指定することで、十分な量の放射線が検出されたときに所定時間の経過を待たずに直ちに測定データを得ることができるなど、線量値に応じて適切な測定モードを選択できる。
【００２５】
本発明のさらに別の態様の放射線量測定システムは、測定局と、前記測定局と通信するデータ収集装置とを備え、放射線量を測定する放射線量測定システムであって、前記測定局は、放射線を検出する測定部と、前記測定部にて所定時間内に所定量の放射線が検出されたときは、その時間に基づいて測定データを生成するとともに、前記所定量の放射線が検出されずに前記所定時間が経過したときは、前記所定時間内に前記測定部にて検出された放射線の数に基づいて測定データを生成する測定制御部と、前記測定制御部にて生成された測定データを送信する送信部とを備え、前記データ収集装置は、前記測定データを受信する受信部と、前記受信部にて受信した測定データから線量値を算出する線量値算出部とを備えた構成を有している。
【００２６】
この構成により、放射線量が少ないときには、十分な測定データが得られていなくても所定時間が経過すると測定データが得られるので、安定して測定データを得ることができるとともに、放射線量が多いときには、十分な量の放射線が検出されたときに所定時間の経過を待たずに直ちに測定データが得られるので、より早く、より正確な線量値を得ることができる。
【００２７】
本発明の別の態様は、測定局と、前記測定局と通信するデータ収集装置とを備え、放射線の線量を測定する放射線量測定システムにおけるデータ収集装置であって、このデータ収集装置は、前記測定局から送信されてきた、放射線の量を示す測定データを受信する受信部と、前記受信部にて受信した複数の測定データを用いた移動平均によって、線量値を算出する線量値算出部と、前記受信部にて受信した複数の測定データのうちの誤検出による測定データを前記線量値算出部における移動平均から除外するノイズ除去処理部とを備えた構成を有している。
【００２８】
この構成によっても、線量値算出部は、複数の測定データを用いた移動平均によって線量値を算出するが、このとき誤検出による測定データはこの移動平均の計算には用いられないので、この移動平均に用いられる複数の測定データを得るための時間を短くしたとしても、線量値の精度の低下を抑えることができ、よって、より早く、より正確な線量値を得ることができる。
【００２９】
本発明の別の態様のデータ収集装置は、測定局と、前記測定局と通信するデータ収集装置とを備え、放射線の線量を測定する放射線量測定システムにおけるデータ収集装置であって、前記測定局から送信されてきた、放射線の量を示す測定データを受信する受信部と、前記受信部にて受信した複数の測定データを用いた移動平均によって、線量値を算出する線量値算出部と、前記測定局の設置箇所における環境の情報を取得する天候情報取得部と、前記環境の情報に基づいて、前記移動平均に用いる過去の測定データをリセットするリセット処理部とを備えた構成を有している。
【００３０】
この構成によっても、線量値算出部は、複数の測定データを用いた移動平均によって線量値を算出するが、このとき雨、雪、風などの環境によって急激に放射線量が増加する可能性がある場合には、移動平均の計算に用いる過去の測定データをリセットするので、放射線量が急激に増加した場合に、移動平均によって過去の測定データに引きずられることがなくなる。これにより、そのような急激な放射線量の増加を直ちに線量値に反映させることができ、よって、より早く、より正確な線量値を得ることができる。
【００３１】
本発明の別の態様は、測定局と、前記測定局と通信するデータ収集装置とを備え、放射線量を測定する放射線量測定システムにおける測定局であって、この測定局は、放射線を検出する測定部と、前記測定部にて所定時間内に所定量の放射線が検出されたときは、その時間に基づいて測定データを生成するとともに、前記所定量の放射線が検出されずに前記所定時間が経過したときは、前記所定時間内に前記測定部にて検出された放射線の数に基づいて測定データを生成する測定制御部と、前記測定制御部にて生成された測定データを送信する送信部とを備えた構成を有している。
【００３２】
この構成によっても、放射線量が少ないときには、十分な測定データが得られていなくても所定時間が経過すると測定データが得られるので、安定して測定データを得ることができるとともに、放射線量が多いときには、十分な量の放射線が検出されたときに所定時間の経過を待たずに直ちに測定データが得られるので、より早く、より正確な線量値を得ることができる。
【発明の効果】
【００３３】
本発明によれば、測定局と、測定局と通信するデータ収集装置とを備え、放射線量を測定する放射線量測定システムにおいて、より早く、より正確な線量値を得ることができる。
【図面の簡単な説明】
【００３４】
【図１】本発明の第１の実施の形態における放射線量測定システムの構成を示すブロック図
【図２】本発明の実施の形態における放射線量測定システムの構成図
【図３】本発明の第１の実施の形態における移動平均を説明する図
【図４】本発明の第１の実施の形態における測定局のカウント値の推移を示すグラフ
【図５】本発明の第１の実施の形態における線量値の推移を示す図
【図６】本発明の第１の実施の形態における放射線量測定システムの動作フロー図
【図７】本発明の第２の実施の形態における放射線量測定システムの構成を示すブロック図
【図８】本発明の第２の実施の形態における放射線量測定システムの動作フロー図
【図９】本発明の第２の実施の形態の変形例における放射線量測定システムの構成を示すブロック図
【図１０】本発明の第２の実施の形態の変形例における放射線量測定システムの動作フロー図
【発明を実施するための形態】
【００３５】
以下、本発明の実施の形態の放射線量測定システムについて、図面を参照しながら説明する。以下では、本発明の放射線量測定システムの実施の形態として、第１及び第２の実施の形態を説明する。この説明に先立って、図２を参照して、第１及び第２の実施の形態に共通する放射線量測定システムの基本的な構成を説明する。
【００３６】
図２は、本発明の実施の形態における放射線量測定システムの構成図である。図２に示すように放射線量測定システム１０００は、複数の測定局１００と、データ収集装置２００と、ＰＣ３００を備えている。複数の測定局１００は、データ収集装置２００との間で無線通信を行う。各測定局１００は、無線通信によってデータ収集装置２００に測定データを送信する。データ収集装置２００とＰＣ３００とは有線で接続されている。複数の測定局１００は、それぞれ、測定対象場所の各箇所に設置される。なお、図２では、３つの測定局１００がある例を示しているが、測定局１００の数はそれ以上又はそれ以下であってよく、測定局１００が１つであってもよい。放射線量測定システム１０００は、例えば、学校施設に設置され得る。このとき、測定局１００は、例えば、校舎内、運動場、体育館等の複数の箇所に設置することができる。
【００３７】
測定局１００は、５００ｍｌペットボトル大の小型の安価なものである。また、測定局１００は、電池で駆動するので、測定局１００の設置にあたって電源工事が不要である。測定局１００とデータ収集装置２００との間の無線通信は、１．９ＧＨｚのＤＥＣＴ準拠方式を採用する。以下、第１及び第２の実施の形態を説明する。
【００３８】
〔第１の実施の形態〕
図１は、本発明の第１の実施の形態における放射線量測定システムの構成を示すブロック図である。図１に示すように、放射線量測定システム１００１は、測定局１１０、データ収集装置２１０、及びＰＣ３１０を備えている。
【００３９】
測定局１１０は、無線部１１１、計時部１１２、測定制御部１１３、及び測定部１１４を備えている。測定部１１４は、ＰＩＮダイオードからなる放射線センサであり、受けた放射線を検出する。計時部１１２は、時間を計時して測定制御部１１３に通知する。測定制御部１１３は、測定部１１４にて得られた検出結果、及び計時部１１２から得た時間に基づいて、測定データを生成する。具体的には、測定制御部１１３は、計時部１１２で１分間を計時するごとに、その１分間に測定部１１４にて放射線を受けた回数（カウント値）を測定データとして生成する。測定データの単位はＣＰＭ（Counts per Minute）、即ち毎分のカウント値である。無線部１１１は、データ収集装置２１０と無線通信を行う。無線部１１１は、特に、測定制御部１１３で生成された測定データをデータ収集装置２１０に送信する。
【００４０】
データ収集装置２１０は、無線部２１１、データベース２１２、雨量センサ２１３、リセット処理部２１４、線量変換部２１５、ノイズ除去処理部２１６、及び表示データ生成部２１７を備えている。無線部２１１は、各測定局１１０の無線部１１１と無線通信を行う。無線部２１１は、特に、各測定局１１０から送信されてくる測定データを受信する。データベース２１２は、無線部２１１で受信した測定データを測定局２１０ごとに分けて保存する。雨量センサ２１３は、雨水を検出して、その降雨量を示す降雨量データを生成し、リセット処理部２１４に提供する。リセット処理部２１４は、線量変換部２１５における後述する移動平均に用いる過去の測定データをリセットする。線量変換部２１５は、データベース２１２に保存された各測定局１１０の測定データを用いた移動平均によって、各測定局１１０の線量値を算出する。測定局１１０から送信されてくる測定データが毎分のカウント値を表すのに対して、線量値は単位時間当たりのシーベルト値を示す。即ち、線量変換部２１５は、測定局１１０における単位時間のカウント値を単位時間当たりのシーベルト値に変換する。
【００４１】
ノイズ除去処理部２１６は、データベース２１２に保存された各測定局１１０の測定データのうちの誤検出による測定データを特定して、その測定データを線量変換部２１５における後述する移動平均から除外する。線量変換部２１５は、ノイズ除去処理部２１６によって特定された誤検出による測定データを除外して移動平均を求める。表示データ生成部２１７は、線量変換部２１５で算出された線量値をＰＣ３１０にて表示するための表示データを生成する。ＰＣ３１０は、表示データ生成部２１７にて生成された表示データをモニタに表示する。以下、線量変換、ノイズ除去処理、及びリセット処理を詳細に説明する。
【００４２】
（線量変換）
上述のように、各測定局１１０からは、１分ごとにその１分間で受けた放射線量、即ち、毎分のカウント値を示す測定データが送信される。よって、データベース２１２には、各測定局１１０について、１分ごとのカウント値が保存されている。線量変換部２１５は、各測定局１１０について、データベース２１２に保存された複数の測定データを用いて、１分ごとに、移動平均を求める。
【００４３】
図３は、本発明の第１の実施の形態における移動平均を説明する図である。図３の例では、ある測定局１１０から、Ａ１、Ａ２、・・・というカウント値を示す測定データが送信されてきている。これらのカウント値Ａ１、Ａ２、・・・は、測定局１１０から１分おきに送られてくる。データ収集装置２１０は、これらのカウント値Ａ１、Ａ２、・・・を受信すると、データベース２１２に保存していく。
【００４４】
データ収集装置２１０にて、カウント値Ａ１が得られたときには、その測定局１１０の測定データとしては、このカウント値Ａ１しかないため、線量変換部２１５は、このカウント値Ａ１のみから線量値Ｃ１を求める。その１分後にカウント値Ａ２が得られると、線量変換部２１５は、カウント値Ａ１及びＡ２から線量値Ｃ２を求める。さらに１分後にはカウント値Ａ３が得られるので、線量変換部２１５は、カウント値Ａ１、Ａ２、及びＡ３を用いて線量値Ｃ３を求める。
【００４５】
以下同様にして、データベース２１２に保存されている測定データが５個に満たない場合には、線量変換部２１５は、得られているすべての測定データから線量値を求める。データベースに２１２に保存されている測定データが５個以上になると、線量変換部２１５は、最新の５個の測定データを用いて線量値を求める。図３の例では、カウント値Ａ６が得られたときには、線量値Ｃ６は、最新の５個のカウント値Ａ２〜Ａ６を用いて算出される。以下同様に、線量値Ｃ７は、最新の５個のカウント値Ａ３〜Ａ７を用いて算出され、線量値Ｃ８は、最新の５個のカウント値Ａ４〜Ａ８を用いて算出される。
【００４６】
このように、線量変換部２１５は、最新の５個の測定データを用いて線量値を算出するので、線量値の算出に用いられる測定データの範囲が、線量値を算出するごとにシフトしていく。即ち、線量変換部２１５は、移動平均によって線量値を算出する。また、線量変換部２１５は、１分ごとの測定データを５個用いているので、移動平均における参照する測定データの範囲は５分となる。即ち、線量値は、測定局１１０における５分の放射線検出によって得られた検出結果に基づいて求められる。
【００４７】
（ノイズ除去処理）
上述のように、測定局１００は、振動や他の要因によるノイズの影響を受け易い。例えば、測定局１００を学校施設に設置した場合には、児童が触ったり、ボールが当たったりすることで、振動し、この振動を放射線と誤検出してしまうことがある。図４は、本発明の第１の実施の形態における測定局のカウント値の推移を示すグラフである。実線は、第１の測定局１１０のカウント値の推移を示し、一点鎖線は第２の測定局１１０のカウント値の推移を示し、二点鎖線は第３の測定局のカウント値の推移を示している。図４の例では、時刻８分において、第１の測定局１１０のカウント値ａ８が、前後のカウント値ａ７及びａ９と比較して極端に高い。また、この第１の測定局１１０のカウント値ａ８は、同時刻の他の測定局１１０のカウント値ｂ８、ｃ８と比較しても極端に高い。
【００４８】
放射線については、ある短い時間（１分間）だけ線量が多くなり、その前後では通常の状態であるということは考えにくく、また、比較的近くに設置された複数の測定局において１つの測定局のみで顕著に高い放射線が観測されることも一般的には考えにくい。したがって、図４におけるカウント値ａ８は、上記のような測定局１１０の振動による誤検出である可能性が高い。
【００４９】
そこで、本実施の形態では、ノイズ除去処理部２１６によって、このような誤検出によるノイズを特定して、線量変換部２１５では、このノイズを除去した上で移動平均を求める。このためにノイズ除去処理部２１６は、まず、ある測定局１１０についてデータベース２１２に保存された測定データのカウント値と、他の複数の測定局１１０の同時刻の測定データのカウンタ値とをそれぞれ比較して、それらの差分がいずれも所定の閾値を超えている場合には、この測定局１１０のカウント値を誤検出による測定データであると特定し、この測定データを線量変換部２１５における平均の計算対象から除外する。
【００５０】
これにより、線量変換部２１５は、誤検出による測定データであると特定された測定データを除外して、残りの測定データを用いてその平均を計算する。なお、最新の測定データについては、後の測定データと比較することができないため、ノイズ除去処理部２１６によっては誤検出による測定データであるとは判断されないが、次の測定データが取得されたときに、前後の測定データと比較されることで、平均の計算対象から除外され得る。
【００５１】
以上のように、ノイズ除去処理部２１６は、線量変換部２１５が平均の計算に用いる測定データについて、同時刻の他の測定局の測定データとの比較に基づいて、その測定データがノイズであるか否かを判断し、かつ、同一測定局の前後の測定データとの比較に基づいて、その測定データがノイズであるか否かを判断する。そして、線量変換部２１５は、ノイズ除去処理部２１６にてノイズであると判断された測定データを除外して平均を計算して、線量値を求める。よって、線量値の精度が向上する。
【００５２】
（リセット処理）
放射線量の測定においては、測定場所で雨が降ることで、地上にとどまっていた放射線源や空気中の放射線源が１箇所に集まり、局所的に放射線量が急激に増加することがある。本実施の形態のように、移動平均によって線量値を求めると、過去の測定データに影響されて、このような急激な放射線量の変化が線量値に反映されにくくなる。図５は、本発明の第１の実施の形態における線量値の推移を示す図である。図５において、実線は、実際の放射線量を示し、一点鎖線は、通常通りに移動平均によって求めた線量値を示し、二点鎖線は、本実施の形態のリセット処理を行って求めた線量値を示している。
【００５３】
図５に示すように、時刻５分において、実際の放射線量は急激に増加しているが、通常通りに移動平均によって線量値を計算すると、時刻１分〜４分までの測定データも含めた平均によって時刻５分の線量値が計算されるので、一点鎖線で示すように線量値は実際ほど急激には上昇しない。よって、ユーザは、この急激な上昇に早期に気づかないことがある。
【００５４】
そこで、本実施の形態では、データ収集装置２１０に、降雨量を検出する雨量センサ２１３を設ける。そして、リセット処理部２１４は、雨量センサ２１３で検出された降雨量が所定の閾値（例えば、１０ｍｍ）以上であるときに、線量変換部２１５での移動平均の計算に用いる過去の測定データをリセットする。線量変換部２１５は、リセット処理部２１４にて上記のリセットの処理が行われると、過去の測定データを参照せずに、リセット後の測定データのみを用いて移動平均を計算する。
【００５５】
図５の例では、５分の時点でリセット処理部２１４によって過去の測定データがリセットされるので、線量変換部２１５は、１分〜４分の測定データは用いずに、５分の時点では、５分の測定データのみを用いて線量値が算出される。また、６分以降も５分以降のデータのみを用いて線量値を算出する。この結果、図５の実線で示すように、線量値は急激に立ち上がり、ユーザは、急激な放射線量の増加を把握しやすくなる。
【００５６】
以上のように、リセット処理部２１４は、雨が降った場合には、線量変換部２１５での移動平均の計算に用いる過去の測定データをリセットするので、雨によって放射線量が急激に増加した場合にも、線量値の値を実際の放射線量に近い値として算出することが可能となる。
【００５７】
上記のように構成された放射線量測定システムの動作を説明する。図６は、本発明の第１の実施の形態における放射線量測定システムの動作フロー図である。データ収集装置２１０は、測定局１１０から毎分のカウント値を示す測定データを受信すると（ステップＳ６１）、まず、ノイズ除去処理部２１６が、その受信した測定データのカウント値と他の測定局から受信した測定データのカウント値との差分が所定の閾値（ＴＨ１）以上であるか否かを判断する（ステップＳ６２）。本実施の形態では、他の測定局１１０が複数ある場合には、それらのすべての測定局１１０のカウント値との差分が閾値以上であるか否かを判断する。
【００５８】
他の測定局のカウント値との差が閾値（ＴＨ１）以上である場合は（ステップＳ６２にてＹＥＳ）、ノイズ除去処理部２１６は、その測定データを誤検出による測定データであると特定して、線量変換部２１５に対してノイズ除去処理を行なう（ステップＳ６３）。線量変換部２１５は、このノイズ除去処理によって、当該測定データを線量値の移動平均を計算する際に参照する測定データから除外する。次に、リセット処理部２１４は、雨量センサ２１３によって検出された降雨量が所定の閾値（ＴＨ２）以上であるか否かを判断することで、降雨によるリセットを行うか否かを判断する（ステップＳ６４）。なお、ステップＳ６２にて、他の測定局のカウンタ値との差が閾値（ＴＨ１）未満であるときは（ステップＳ６２にてＮＯ）、ステップＳ６３のノイズ除去処理を行なわずに、そのままステップＳ６４で降雨量の判断を行なう。
【００５９】
降雨量が閾値以上であるときは（ステップＳ６４にてＹＥＳ）、リセット処理部２１４は、線量変換部２１５で移動平均の計算に用いる過去の測定データをリセットするリセット処理を行い（ステップＳ６５）、線量変換部２１５は、過去の測定データを移動平均の計算から除外する。降雨量が閾値（ＴＨ２）に満たない場合（ステップＳ６４にてＮＯ）、及び降雨量が閾値（ＴＨ２）以上であることで上記のリセット処理が行なわれた（ステップＳ６５）後には、線量変換部２１５は、過去５分間分のデータがあるか否かを判断する（ステップＳ６６）。５分間分のデータがある場合には、直近の５分間分の測定データを用いて移動平均を計算する（ステップＳ６７）。過去の５分間分の測定データがない場合には、その時点で取得できた分だけの測定データで平均を計算する（ステップＳ６８）。なお、リセットがされた直後には（ステップＳ６５）、過去５分間部の測定データはないことになる。
【００６０】
この移動平均の計算において（ステップＳ６７、ステップＳ６８）、線量変換部２１５は、過去５分間分の測定データ、又は取得できた分だけの測定データの中に、前後の測定データとそれぞれ比較して、いずれの差分も所定の閾値（ＴＨ３）以上である測定データがある場合には、その測定データを平均の計算対象から除外する。線量変換部２１５は、このようにして移動平均によって線量値を算出して、表示データ生成部２１７に出力する。表示データ生成部２１７は、線量変換部２１５から得た線量値を用いて、ＰＣ３１０にてこの線量値の推移を表示するための表示データを生成する（ステップＳ６９）。
【００６１】
以上のように、本実施の形態の放射線量測定システム１００１によれば、ノイズ除去処理部２１６によってノイズが除去されるので、精度の高い線量値を得ることができる。また、雨が降った場合にはリセット処理部２１４での移動平均の計算に用いる過去の測定データがリセットされるので、降雨による急激な放射線量の増加を迅速に線量値に反映させることができる。
【００６２】
なお、上記の実施の形態では、測定局１１０は、１分ごとに測定データを生成して送信し、データ収集装置２１０は、測定データを受信するごとに線量値を算出していたが、本発明はこれに限られない。測定局１１０は、１分より長い時間又は短い時間ごとに測定データを生成して送信してもよい。また、データ収集装置２１０は、複数回の測定データを受信するごとに、又はその他の任意のタイミングで線量値を算出してよい。また、上記の実施の形態では、線量変換部２１５は、過去の最新の５分間の測定データの平均を計算するという移動平均によって線量値を算出したが、本発明はこれに限られない。線量変換部２１５は、５分より長い時間又は短い時間の測定データを用いて移動平均を計算してよい。
【００６３】
また、上記の実施の形態では、雨量センサ２１３はデータ収集装置２１０に設けられたが、雨量センサ２１３は、データ収集装置２１０と別に設けられてもよい。雨量センサ２１３は、例えば測定局１１０又はその付近に設けられて、降雨量の検出値を無線又は有線によってデータ収集装置２１０に送信してもよい。また、上記の実施の形態のデータ収集装置２１０の無線部２１１及び雨量センサ２１３以外の構成がすべてＰＣ３１０に組み込まれてもよい。即ち、データ収集装置２１０は、無線部２１１だけであってもよい。
【００６４】
また、上記の実施の形態では、リセット処理のために、雨量センサ２１３を設けて、降雨量が閾値以上となった場合に線量変換部２１５で移動平均の計算に用いる測定データをリセットしたが、本発明はこれに限られない。例えば、雨量センサ２１３に代えて、又は雨量センサ２１３に加えて、風力を検出する風力センサを設けてもよい。また、雪や人為的な散水を検地するセンサを設けてもよい。この場合、リセット処理部２１４は、風力センサで検出された風力が所定の閾値以上となった場合に、線量変換部２１５での移動平均の計算に用いる測定データをリセットする。さらに、リセット処理部２１５は、天気情報を受けてその天気情報に基づいて雨が降っているか否かを判断して、雨が降っている場合に上記のリセット処理を行なってよい。また、上記の実施の形態のリセット処理部２１４は、センサの検出値に基づいてリセット処理を行なったが、これに代えて、又はこれに追加して、ユーザからの指示に応じてリセット処理を行なってもよい。
【００６５】
また、上記の実施の形態では、ノイズ除去処理部２１６は、ある測定局の測定データが他のすべての測定局の同時刻の測定データよりも極端に高い場合、及びある測定局の測定データがその測定局の前後の測定データよりも極端に高い場合のいずれの場合にも、その測定データを平均の計算対象から除外したが、本発明はこれに限られない。ある測定局の測定データが他のすべての測定局の同時刻の測定データよりも極端に高く、かつその測定データがその測定局の前後の測定データよりも極端に高い場合にのみ、その測定データを平均の計算対象から除外してもよい。また、上記の実施の形態では、ノイズ除去処理部２１６は、ある測定局の測定データがその測定局の前の測定データよりも極端に高い場合に、その測定データを平均の計算対象から除外してもよい。即ち、測定データをその前後ではなく前の測定データとのみ比較して誤検出による測定データであるか否かを判断してよい。
【００６６】
また、上記の実施の形態において、リセット処理部２１４は、雨量センサ２１３が各測定局１１０又はその付近に設けられているときは、測定局１１０ごとに、測定データをリセットするか否かを判断してよい。
【００６７】
〔第２の実施の形態〕
図７は、本発明の第２の実施の形態における放射線量測定システムの構成を示すブロック図である。図７の放射線量測定システム１００２において第１の実施の形態の放射線量測定システム１００１と同様の構成については、同一の符号を付して説明を省略する。
【００６８】
放射線量測定システム１００２は、第１の実施の形態と同様に、複数の測定局１２０、データ収集装置２２０、及びＰＣ３１０を備えている。放射線量測定システム１００２は、第１の測定モードと第２の測定モードのいずれかを選択して測定を行なう。放射線量測定システム１００２のデータ収集装置２２０は、測定方法設定部２２８を備えている。測定方法設定部２２８は、線量変換部２２５にて求められた線量値が所定の閾値未満である場合には、第１の測定モードを選択し、線量変換部２２５にて求められた線量値が所定の閾値以上である場合には、第２の測定モードを選択する。測定方法設定部２２８は、選択した測定モードを線量変換部２１５に通知し、また、無線部２１１を介して各測定局１２０に通知する。各測定局１２０では、無線局１１１でこの通知を受けて、測定制御部１２３に提供する。
【００６９】
第１の測定モードでは、各測定局１２０の測定制御部１２３は、計時部１１２の計時に従って、３０分ごとに測定データ生成する。この３０分という時間は、通常時において、測定部１１４において数百カウントの放射線が検出される時間である。測定データは、３０分間で測定部１１４が受けた放射線の数（カウント値）であってもよいし、３０分間に受けた放射線の数に基づいて算出された毎分の平均の放射線の数（毎分のカウント値、単位はＣＰＭ）であってもよい。データ収集部２１０の線量変換部２１５は、測定データを受けると、この測定データを線量値（シーベルト値）に変換する。
【００７０】
このように、第１の測定モードでは、３０分間という十分な時間に受けた放射線の数（数百程度）に基づいて測定データが生成されるので、データ収集装置２２０の線量変換部２１５では精度の高い線量値が得られる。しかしながら、第１の測定モードでは、測定場所における放射線量が多い場合にも、３０分ごとにしか線量値が得られない（３０分おきにしか線量値が更新されない）。そこで、測定方法設定部２２８は、線量変換部２２５で算出される線量値を監視して、この線量値が所定の閾値よりも高くなった場合には、第２の測定モードに切り替える。
【００７１】
第２の測定モードでは、測定局１２０の測定制御部１２３は、測定部１１４が受けた放射線の数をカウントして、その数が定数（例えば４００）になったときに、計時部１１２が計時している時間を測定データとして生成する。即ち、第１の測定モードでは、一定の時間ごとに、その時間で受けた放射線の数に基づく測定データを生成したが、第２の測定モードでは、第１の測定モードのように定期的に測定データを生成するのではなく、所定のカウント値が得られたときに測定データを生成して送信する。よって、各測定局１２０において、測定データが生成されて送信される間隔は一定ではない。
【００７２】
データ収集装置２２５の線量変換部は、測定データを受けると、その測定データが示す時間と定数の線量に基づいて、線量値を算出する。このように、第２の測定モードでは、測定局１２０の測定部１１４にて、線量値を求めるのに十分な放射線が検出できた場合には、３０分等の決まった時間の経過を待たずに直ちに測定データを生成して送信し、データ収集装置２２０にて測定データを受けるごとに線量値を算出するので、正確な線量値をより早く得ることができる。
【００７３】
放射線量が少なくなると、第２の測定モードでは、長時間が経過しても、測定データを生成して送信するだけの放射線を検出できないことになり、データ収集装置２２０においても、なかなか新たな線量値が得られない（線量値が更新されない）ことになる。そこで、第２の測定モードにおいても、測定方法設定部２２８は、線量変換部２２５にて算出される線量値を監視して、この線量値が所定の閾値未満となったときに、測定モードを第１の測定モードに切り替える。
【００７４】
以上のように構成された放射線量測定システム１００２の動作を説明する。図８は、本発明の第２の実施の形態における放射線量測定システムの動作フロー図である。測定方法設定部２２８は、線量変換部２１５にて算出された線量値が所定の閾値（ＴＨ４）以上であるか否かを判断する（ステップＳ８１）。線量値が閾値（ＴＨ４）未満であるときは（ステップＳ８１にてＮＯ）、測定方法設定部２２８は、測定モードとして第１の測定モードを選択して、線量変換部２１５及び測定局１２０の測定制御部１２３に指示する（ステップＳ８２）。
【００７５】
第１の測定モードが設定されると、測定局１２０の測定制御部１２３は、計時部１１２の計時に基づいて、経過時間が所定の時間（ＴＨ５、例えば３０分）に達するのを待つ（ステップＳ８３）。所定の時間（ＴＨ５）が経過すると（ステップＳ８３にてＹＥＳ）、測定制御部１２３は、それまでに測定部１１４で受けた放射線の数（カウント値）に基づいて測定データを生成して、無線部１１１がこれを送信する（ステップＳ８４）。
【００７６】
一方、測定方法設定部２２８における線量値の監視において、線量値が所定の閾値（ＴＨ４）以上であると判断されると（ステップＳ８１にてＹＥＳ）、測定方法設定部２２８は、第２の測定モードを選択して、線量変換部２２５及び測定局１２０の測定制御部１２３に指示をする。測定制御部１２３は、測定部１１４における放射線のカウント値が所定の閾値（ＴＨ６、例えば４００）になるのを待つ（ステップＳ８６）。測定部１１４における放射線のカウント値が閾値（ＴＨ６）に達すると（ステップＳ８６にてＹＥＳ）、測定制御部１２３は、計時部１１２の計時に基づいてそれまでに要した時間を用いて、測定データを生成し、無線部１１１がこれを送信する（ステップＳ８４）。
【００７７】
以上のように、本実施の形態の放射線量測定システム１００２では、算出された線量値に応じて第１の測定モードと第２の測定モードとを適宜に切り替えるので、常に、より早く、より正確な線量値を求めることができる。
【００７８】
なお、上記の実施の形態では、第２の測定モードでは、所定数の放射線を検出するのに要した時間を測定モードとしていたが、本発明はこれに限られない。第２の測定モードにおいても、所定のカウント値が得られたときに、測定制御部１２３にて、そのときの計時部１１２による計時に基づいて、毎分の平均のカウント値を求めてこれを測定データとしてもよい。上記の実施の形態では、第１の測定モードでは線量変換部２１５にはカウント値を示す測定データが与えられる一方、第２の測定モードでは線量変換部２１５に時間を示す測定データが与えられるので、線量変換部２２５は、与えられた測定データがカウント値を示すのか時間を示すのかを把握するために、設定されている測定モードを認識しておく必要があった。このために、上記の実施の形態では、測定方法設定部２２８は、選択した測定モードを線量変換部２２５に通知した。しかしながら、上記のように、第１の測定モードにおいても第２の測定モードにおいてもカウント値を示す測定データが与えられるのであれば、線量変換部２２５は設定されている測定モードを意識することなく、与えられた測定データを線量値に変換すればよい。よって、この場合には、測定方法設定部２２８は、選択した測定モードを線量変換部２２５に通知する必要はない。
【００７９】
〔第２の実施の形態の変形例〕
上記の第２の実施の形態の変形例を説明する。図９は、本発明の第２の実施の形態の変形例における放射線量測定システムの構成を示すブロック図である。図９の放射線量測定システム１００３において第１の実施の形態の放射線量測定システム１００１又は第２の実施の形態の放射線量測定システム１００２と同様の構成については、同一の符号を付して説明を省略する。
【００８０】
放射線量測定システム１００３は、第１の実施の形態と同様に、複数の測定局１３０、データ収集装置２３０、及びＰＣ３１０を備えている。図９に示すように、この変形例のデータ収集装置２３０には、測定方法設定部２２８は備えられていない。
【００８１】
本実施の形態の測定局１３０の測定制御部１３３は、計時部１１２による計時によって所定の時間（ＴＨ５）が経過するか、又は測定部１１４における放射線検出の回数（カウント値）が所定の閾値（ＴＨ６）になるかのいずれかの条件が満たされたときに、測定データを生成する。即ち、測定制御部１３３は、計時部１１２の計時と測定部１１４のカウント値を同時に監視し、カウント値が所定値（ＴＨ６）に達する前に、所定の時間（ＴＨ５）が経過したときには、その所定の時間内に受けた放射線の数に基づいて測定データを生成する。また、所定の時間（ＴＨ５）が経過する前に、カウント値が所定値（ＴＨ６）に達した場合には、その所定のカウント値に達するのに要した時間に基づいて測定データを生成する。
【００８２】
所定の時間（ＴＨ５）が経過する前に、カウント値が所定値（ＴＨ６）に達した場合に、その所定のカウント値に達するのに要した時間に基づいて生成される測定データは、カウント値が所定値（ＴＨ６）に達するのに要した時間であってもよいし、カウント値が所定値（ＴＨ６）に達するまでの毎分の平均のカウント値であってもよい。前者の場合には、その測定データに、それが時間を表すことを示すフラグを含めることで、データ収集装置２３０における線量値算出の際に測定データが時間を表すことを判別できるようにしてよい。
【００８３】
以上のように構成された放射線量測定システム１００３の動作を説明する。図１０は、本発明の第２の実施の形態の変形例における放射線量測定システムの動作フロー図である。測定制御部１１３は、経過時間が所定の時間（ＴＨ５）に達したか否かを判断する（ステップＳ１０１）。所定の時間に達していない場合には（ステップＳ１０１にてＮＯ）、測定制御部１１３は、次に、カウント値が所定の閾値（ＴＨ６）に達したか否かを判断する（ステップＳ１０２）、カウント値が閾値（ＴＨ６）に達していない場合には（ステップＳ１０２にてＮＯ）、ステップＳ１０１に戻って経過時間が所定の時間（ＴＨ５）に達したかを判断する。即ち、ステップＳ１０１及びステップＳ１０２にていずれかがＹＥＳとなるまで、ステップＳ１０１及びステップＳ１０２のループを繰り返す。
【００８４】
経過時間が所定の時間（ＴＨ５）に達し、又はカウント値が所定の閾値（ＴＨ６）に達すると（ステップＳ１０１にてＹＥＳ、又はステップＳ１０２にてＹＥＳ）、測定制御部１３３が測定データを生成して、無線部１１１がこれを送信する（ステップＳ１０３）。
【００８５】
以上のように、本変形例によれば、少なくとも一定の時間ごとには測定データが生成されて送信されるので、測定部１１４にて十分な放射線が検出されないことで、データ収集装置２３０にて長時間にわたり線量値が更新されないという事態を防止できるととともに、測定部１１４にて十分な放射線が検出された場合には直ちに測定データが生成されて送信されるので、正確な線量値をより早く得ることができる。換言すると、本変形例によれば、十分な放射線が検出されてから測定データを送ることで、正確な線量値を得ることができるようにするとともに、十分な放射線が検出されるまでにあまりに長時間を要する場合には、十分な放射線が検出されるのを待たずに測定データを生成して送信するので、正確な線量値を得ることができるとともに、一定時間間隔での線量値の更新も保証される。
【００８６】
なお、上記の第２の実施の形態又はその変形例を、第１の実施の形態と同時に採用してもよい。
【産業上の利用可能性】
【００８７】
本発明は、測定局と、測定局と通信するデータ収集装置とを備え、放射線量を測定する放射線量測定システムにおいて、より早く、より正確な線量値を得ることができるという効果を有し、測定局で測定を行うとともに、その測定データを収集する放射線量測定システム等として有用である。
【符号の説明】
【００８８】
１０００、１００１、１００２、１００３  放射線量測定システム
１００、１１０、１２０、１３０  測定局
１１１  無線部
１１２  計時部
１１３、１２３、１３３  測定制御部
１１４  測定部
２００、２１０、２２０、２３０  データ収集装置
２１１  無線部
２１２  データベース
２１３  雨量センサ
２１４  リセット処理部
２１５、２２５、２３５  線量変換部
２１６  ノイズ除去処理部
２１７  表示データ生成部
２２８  測定方法設定部
３００、３１０  ＰＣ
【図１】
2013186109.tif 000003
【図２】
2013186109.tif 000004
【図３】
2013186109.tif 000005
【図４】
2013186109.tif 000006
【図５】
2013186109.tif 000007
【図６】
2013186109.tif 000008
【図７】
2013186109.tif 000009
【図８】
2013186109.tif 000010
【図９】
2013186109.tif 000011
【図１０】
2013186109.tif 000012